(57)【要約】【課題】携帯端末において電源キーが故障しても、当該携帯端末が継続して利用され得るようにすること。【解決手段】携帯端末において、電源キー３４０は、電源ＩＣ１８０に電気的に接続されており、当該携帯端末の電源のオン／オフの切り替えのために操作される。タイマーＩＣ６２は、電源キー３４０が予め定められた時間以上継続して操作されたことを検出すると、スイッチ６１を開く。これにより、電源キー３４０は、電源ＩＣ１８０から電気的に切り離される。【選択図】図３
2016224525.tif 000002
【特許請求の範囲】
【請求項１】
携帯端末であって、
前記携帯端末を制御する制御部と、
前記制御部へ電力を供給する電源回路と、
前記電源回路に電気的に接続され、前記電源回路から前記制御部への電力の供給のオン／オフを切り替えるために操作される電源キーと、
前記電源キーが操作されたことを検出する検出部とを備え、
前記検出部は、前記電源キーが予め定められた時間以上継続して操作された場合に、前記電源キーを前記電源回路から電気的に切り離す、携帯端末。
【請求項２】
前記電源回路は、前記電源キーが前記予め定められた時間よりも短い一定の時間以上継続して操作され、かつ、当該電源キーの操作の継続が前記予め定められた時間より短い時間が経過する前に解消したことを条件として、前記制御部への電力の供給のオン／オフを切り替える、請求項１に記載の携帯端末。
【請求項３】
前記電源キーとは異なる入力部をさらに備え、
前記制御部は、
前記電源キーが前記予め定められた時間より短い所定の時間操作されたことに基づいて、予め定められた機能を実現し、
前記電源キーが前記予め定められた時間以上継続して操作された場合には、前記予め定めれた機能の実現に関連付けられる操作を、前記電源キーの操作から前記入力部の操作へと変更する、請求項１または請求項２に記載の携帯端末。
【請求項４】
前記予め定められた機能は、前記携帯端末における、アクティブモードとスリープモードとの間のモードの切替である、請求項３に記載の携帯端末。
【請求項５】
前記入力部は、前記携帯端末に対する物体の近接、前記携帯端末に印加された圧力、および、前記携帯端末における振動の中の少なくとも一つを検出するセンサである、請求項３または請求項４に記載の携帯端末。
【発明の詳細な説明】
【技術分野】
【０００１】
本開示は、携帯端末に関し、特に、電源キーによって制御部への電力の供給のオン／オフを切り替える携帯端末に関する。
【背景技術】
【０００２】
携帯端末において、利用者の利便性を図るために、小型化や軽量化が進んでいる。これにより、携帯端末に設けられたキーボタンの疲労による故障が懸念されるようになっている。キーボタンが故障した場合には、通常、当該キーボタンを良品と交換することによって、携帯端末は正常な状態に戻る。
【０００３】
しかしながら、交換は、手間や相当の修理時間を要するため、利用者に不便をもたらす。携帯端末において、故障の発生の予測は難しい。特に、緊急時に故障が発生した場合等、故障の発生のタイミングによっては、利用者は、大きな影響を受けることによって、計り知れない不利益を被る。
【０００４】
そのような現状に鑑み、特開２００７−２３５７６３号公報（特許文献１）では、「オフフックボタン、オンフックボタン、その他のキーボタンの故障時に、故障したキーボタンに設定されていた機能を他のキーボタンに設定することにより、その機能を継続的に利用することができる携帯電話装置」が提案されている。
【先行技術文献】
【特許文献】
【０００５】
【特許文献１】特開２００７−２３５７６３号公報
【発明の概要】
【発明が解決しようとする課題】
【０００６】
ところで、携帯端末に設けられるキーボタンの中で、携帯端末の電源のオン／オフを切り替える電源キーは、他のキーと、その性質を異にしている場合が多い。たとえば、電源キーは、電源オフの状態にある携帯端末への電力の供給を開始させるものでもあるため、電源回路に直接接続されている場合が多い。そして、携帯端末では、電源キーの他に電源回路に直接接続されているキーが設けられている場合が多い。このことから、電源キーは、特許文献１に記載された技術によっては、他のキーによって代替されることが難しい。
【０００７】
一方で、電源キーが故障した場合、大きな不具合が生じ得る。たとえば、携帯端末の水没等により電源キーが携帯端末内の回路を短絡させた場合、当該携帯端末では、強制的に電源がオフされるなどの不具合が生じ得る。
【０００８】
本開示は、かかる実情に鑑み考え出されたものであり、その目的は、携帯端末において、電源キーが故障した場合であっても、当該携帯端末を継続して利用できるようにすることである。
【課題を解決するための手段】
【０００９】
本開示のある局面に従うと、携帯端末が提供される。当該携帯端末は、携帯端末を制御する制御部と、制御部へ電力を供給する電源回路と、電源回路に電気的に接続され、電源回路から制御部への電力の供給のオン／オフを切り替えるために操作される電源キーと、電源キーが操作されたことを検出する検出部とを備える。検出部は、電源キーが予め定められた時間以上継続して操作された場合に、電源キーを電源回路から電気的に切り離す。
【発明の効果】
【００１０】
本開示によれば、携帯端末は、電源キーが長時間継続して操作されたときに当該電源キーを電源回路から電気的に切り離す検出部を備える。これにより、携帯端末の水没等により電源キーが電源回路につながる電気回路をショートさせるなど、ユーザが電源キーの操作を意図していないときに電源回路が電源キーの状態に従って動作するようじ事態が、回避され得る。
【図面の簡単な説明】
【００１１】
【図１】携帯端末の外観を表す図である。
【図２】携帯端末のハードウェア構成を示すブロック図である。
【図３】携帯端末における、電源キー等の２以上の要素の具体的な接続態様の一例を示す図である。
【図４】携帯端末の機能的な構成の一部を示すブロック図である。
【図５】携帯端末において電源キーが予め定められた時間以上継続して操作されたときに実行される処理の内容を説明するための図である。
【図６】第２の実施の形態の携帯端末において実行される処理のフローチャートである。
【発明を実施するための形態】
【００１２】
以下、図面を参照しつつ、本開示の実施の形態について説明する。以下の説明では、同一の部品には同一の符号を付してある。それらの名称および機能も同じである。したがって、それらについての詳細な説明は繰り返さない。
【００１３】
［第１の実施の形態］
（１）  発明の概要
図１は、携帯端末１の外観を表す図である。図１を参照して、携帯端末１は、上部筐体１０１と、下部筐体１０２と、ヒンジ部１０３とを備える。上部筐体１０１と下部筐体１０２とは、ヒンジ部１０３により折り畳み可能なような態様で接続されている。上部筐体１０１は、液晶等からなるディスプレイ１６０を備える。下部筐体１０２は、ユーザによる携帯端末１に対する情報の入力操作を受付けるための操作受付部１３０を備える。
【００１４】
携帯端末１は、当該携帯端末１内の各要素に電力を供給する電源回路（後述する、電源ＩＣ（Integrated  Circuit）１８０）を含む。操作受付部１３０は、携帯端末１の電源のオン／オフを切り替えるための電源キー３４０を含む。電源キー３４０は、電源回路に、電気的に接続されている。電源回路は、電源キー３４０が一定の時間（たとえば、３秒間）押圧操作されることにより、上記各要素への電力の供給のオン／オフを切り替える。
【００１５】
携帯端末１は、さらに、電源キー３４０が上記一定の時間よりも長い予め定められた時間（たとえば、１５秒間）以上継続して操作されたことを検出するユニット（後述する、タイマーＩＣ６２）を備える。当該ユニットは、電源キー３４０が予め定められた時間以上継続して操作されたことを検出すると、電源キー３４０を、電源回路から電気的に切り離す。これにより、たとえば携帯端末１の水没等により電源キー３４０が携帯端末１内の電気回路を短絡させたとしても、当該短絡によって電源回路が一定の時間ごとに携帯端末１の電源のオン／オフを切り替え続けるという事態が生じることが回避され得る。
【００１６】
（２）  ハードウェア構成
図２は、携帯端末１のハードウェア構成を示すブロック図である。図１および図２を参照して、携帯端末１のハードウェア構成を説明する。
【００１７】
携帯端末１は、携帯端末１を制御するためのＣＰＵ（Central  Processing  Unit）１１０、メモリ１２０、操作受付部１３０、操作キードライバ１４０、ディスプレイドライバ１５０、ディスプレイ１６０、グリップセンサ１７０、加速度センサ１９０、およびタッチセンサ１９２を備える。
【００１８】
グリップセンサ１７０は、下部筐体１０２（図１）に加えられた圧力を検出する。より具体的には、グリップセンサ１７０は、たとえば下部筐体１０２が所与の力以上の力で握られる事態が生じた場合に、当該事態の発生をＣＰＵ１１０に報知する。
【００１９】
加速度センサ１９０は、携帯端末１に加えられた加速度を検出する。より具体的には、加速度センサ１９０は、たとえば携帯端末１が所与の速度以上の速度で振られる事態が生じた場合に、当該事態の発生をＣＰＵ１１０に報知する。タッチセンサ１９２は、携帯端末１に対して一定の距離以内に物体（たとえば、導体）が近接する事態が生じた場合に、当該事態の発生をＣＰＵ１１０に報知する。タッチセンサ１９２の方式は、抵抗膜方式および静電容量方式を含む、いかなる方式の中から選択されてもよい。
【００２０】
ディスプレイドライバ１５０は、ディスプレイ１６０のためのドライバ回路であり、ＣＰＵ１１０によって実行されるドライバソフトウェアとして実装されてもよい。操作受付部１３０は、複数のキー３０１，３０２…から構成されるテンキー３００と、電源キー３４０と、タッチパッド３５０とを含む。メモリ１２０は、各種のデータおよびプログラムを格納する。
【００２１】
操作キードライバ１４０は、操作受付部１３０のためのドライバ回路であり、ＣＰＵ１１０によって実行されるドライバソフトウェアとして実装されてもよい。操作キードライバ１４０は、操作受付部１３０のタッチパッド３５０の動作を制御し、さらに、操作受付部１３０から、操作されたキーの種類を特定するデータ（操作種類データ）と、タッチパッド３５０におけるされた位置（Ｘ，Ｙ）を示す位置データとを受け付ける。操作キードライバ１４０は、操作種類データおよび位置データを、ＣＰＵ１１０に出力する。
【００２２】
なお、位置データのＸ軸およびＹ軸方向は、たとえば、図１に示されたＸ軸およびＹ軸に従う。また、電源キー３４０は、スイッチ６１を介して、当該電源キー３４０の操作種類データを操作キードライバ１４０へ送信する。
【００２３】
ＣＰＵ１１０は、操作キードライバ１４０から取得した操作種類データおよび位置データに基づき、予め定められた処理を実行する。
【００２４】
携帯端末１は、電源ＩＣ１８０と、電源キー切り離し用スイッチ（以下、単に「スイッチ」という）６１と、タイマーＩＣ６２とをさらに備える。電源ＩＣ１８０は、携帯端末１内の各要素（ＣＰＵ１１０等）に電力を供給し、スイッチ６１を介して電源キー３４０に接続されている。より具体的には、電源ＩＣ１８０は、電源（たとえば、図示せぬ携帯端末１のバッテリ）から供給された電圧を適切な電圧に変換して、携帯端末１内の各要素に安定的に送るためのＩＣである。タイマーＩＣ６２は、電源キー３４０に接続されている。
【００２５】
図３は、携帯端末１における、電源キー３４０、電源ＩＣ１８０、スイッチ６１、およびタイマーＩＣ６２の具体的な接続態様の一例を示す図である。図３では、これらの接続態様についての３つの状態（状態Ａ〜Ｃ）が示されている。
【００２６】
状態Ａは、初期状態を示す。電源キー３４０は、操作されることにより図３に示された回路を閉じる。状態Ａは、電源キー３４０が操作（押圧）されていない状態を示す。状態Ａでは、電源キー３４０は、回路を開いている。電源キー３４０と電源ＩＣ１８０との間にスイッチ６１が設けられている。状態Ａでは、スイッチ６１は、回路を閉じている。タイマーＩＣ６２は、電源キー３４０によって閉じられる回路に接続されている。
【００２７】
状態Ｂは、電源キー３４０が操作（押圧）されることにより、回路を閉じている状態を示す。点Ｐは、操作キードライバ１４０（図２）に接続されている。操作キードライバ１４０、電源ＩＣ１８０およびタイマーＩＣ６２は、電源キー３４０が回路を閉じたことを検出する。
【００２８】
状態Ｃは、電源キー３４０が予め定められた時間（たとえば、１５秒間）以上継続して操作されたことにより、タイマーＩＣ６２がスイッチ６１の状態を変更したときの状態を示す。状態Ｃでは、スイッチ６１が回路を開いていることにより、電源キー３４０が、電源ＩＣ１８０および操作キードライバ１４０（点Ｐ）から電気的に切り離されている。
【００２９】
（３）  機能構成
図４は、携帯端末１の機能的な構成の一部を示すブロック図である。図４において、機能実現部１１１は、電源キー３４０の操作によって実現される、携帯端末１の電源のオン／オフ以外の機能を実現する要素である。当該機能の一例は、アクティブモードとスリープモードとの間の切り替えである。アクティブモードとは、たとえば、ディスプレイ１６０が点灯し、ＣＰＵ１１０が操作受付部１３０からの操作を通常通り受け付けて動作するモードである。スリープモードとは、たとえば、携帯端末１に電力は供給されているが、ディスプレイ１６０が消灯しているモードである。
【００３０】
スイッチ６１が図３に示された回路を閉じているとき（たとえば、状態Ａ）には、ＣＰＵ１１０は、電源キー３４０が押圧操作されるたびに、携帯端末１のモードをアクティブモードとスリープモードとの間で切り替える。つまり、携帯端末１では、機能実現部１１１の一例は、モードを切り替える処理を実行するＣＰＵ１１０である。
【００３１】
タイマーＩＣ６２は、電源キー３４０が予め定められた時間以上継続して操作されると、スイッチ６１を開くとともに、ＣＰＵ１１０に対して、上記機能の指示の出力先を電源キー３４０から代替部１１２へと変更することを指示する。これにより、ＣＰＵ１１０は、電源キー３４０が押圧操作されたことではなく、代替部１１２から上記機能を実行するための信号を受信することにより、上記指示を実行する。
【００３２】
代替部１１２の一例は、グリップセンサ１７０である。電源キー３４０が予め定められた時間以上継続して操作された後、ＣＰＵ１１０は、グリップセンサ１７０から、下部筐体１０２が所与の圧力以上の圧力を加えられたことを示す信号を受信すると、携帯端末１のモードをアクティブモードとスリープモードとの間で切り替える。
【００３３】
代替部１１２の他の例は、加速度センサ１９０である。電源キー３４０が予め定められた時間以上継続して操作された後、ＣＰＵ１１０は、加速度センサ１９０から、携帯端末１が所与の速度以上の速度で振られたことを示す信号を受信すると、携帯端末１のモードをアクティブモードとスリープモードとの間で切り替える。
【００３４】
代替部１１２のさらに他の例は、タッチセンサ１９２である。電源キー３４０が予め定められた時間以上継続して操作された後、ＣＰＵ１１０は、タッチセンサ１９２から、携帯端末１の一部（たとえば、側面）に対して一定の距離以内に、ユーザの手などの導体が近接したことを示す信号を受信すると、携帯端末１のモードをアクティブモードとスリープモードとの間で切り替える。
【００３５】
なお、代替部１１２は、グリップセンサ１７０、加速度センサ１９０、および、タッチセンサ１９２の中から、少なくとも一つが選択されればよい。また、代替部１１２として、これらの中から複数が選択されてもよい。
【００３６】
携帯端末１では、代替部１１２が設定されることにより、携帯端末１の水没等により電源キー３４０が図３に示された回路をショートさせている場合であっても、当該ショートによりモードの切り替えがユーザの意図しないタイミングで実行されるという事態が回避され得る。特に、携帯端末１においてモードの切り替えが振動子の振動を伴う場合、モードの切り替えに伴う当該振動子の振動がユーザの意図しないタイミングで実行される事態が回避され得る。
【００３７】
（４）  処理の流れ
図５は、携帯端末１において電源キー３４０が予め定められた時間以上継続して操作されたときに実行される処理の内容を説明するための図である。図５を参照して、当該処理の内容を説明する。
【００３８】
図５を参照して、ステップＳ１０で、タイマーＩＣ６２は、電源キー３４０が操作されたことを検出すると、ステップＳ１２へ制御を進める。
【００３９】
ステップＳ１２で、タイマーＩＣ６２は、上記した予め定められた時間（たとえば、１５秒間）を計時するためのタイマーをオンする。そして、制御はステップＳ１４へ進められる。
【００４０】
ステップＳ１４で、タイマーＩＣ６２は、電源キー３４０が１５秒（予め定められた時間の一例）以上継続して操作されたか否かを判断する。そして、タイマーＩＣ６２は、電源キー３４０が１５秒以上継続して操作されていると判断すると（ステップＳ１４でＹＥＳ）、ステップＳ２０へ制御を進める。一方、タイマーＩＣ６２は、電源キー３４０がまだ１５秒以上継続して操作されていないと判断すると（ステップＳ１４でＮＯ）、ステップＳ１６へ制御を進める。
【００４１】
ステップＳ１６で、タイマーＩＣ６２は、電源キー３４０に対する操作が継続されているかどうかを判断する。そして、タイマーＩＣ６２は、当該操作が継続されていると判断すると（ステップＳ１６でＹＥＳ）、ステップＳ１４へ制御を戻す。一方、タイマーＩＣ６２は、当該操作が終了したと判断すると（ステップＳ１６でＮＯ）、ステップＳ１８でタイマーをリセットして、図５の処理を終了する。
【００４２】
ステップＳ２０で、タイマーＩＣ６２は、ＣＰＵ１１０に対して、機能実現部１１１（図４）に機能の実行を指示するためのキーとして電源キー３４０を指定する設定を無効にすることを指示する。そして、制御はステップＳ２２へ進められる。
【００４３】
ステップＳ２２で、タイマーＩＣ６２は、代替機能をオンさせる。より具体的には、タイマーＩＣ６２は、ＣＰＵ１１０に対して、機能実現部１１１（図４）に機能の実行を指示する要素として代替部１１２を設定するように指示する。そして、制御はステップＳ２４へ進められる。
【００４４】
なお、ステップＳ２０およびステップＳ２２における指示に応じて、ＣＰＵ１１０は、機能実現部１１１に関連付けられる操作受付部１３０内の要素を特定する情報を変更する。ＣＰＵ１１０は、当該情報において記述されている要素から指示を受けたことに応じて、機能実現部１１１の機能を実現するための処理を実行する。当該情報は、たとえばメモリ１２０（図２）に格納されている。
【００４５】
ステップＳ２０およびステップＳ２２における指示により、機能実現部１１１によって実現される機能が、電源キー３４０以外の操作部に対する操作に応じて実行されるようになる。電源キー３４０以外の操作部の一例は、グリップセンサ１７０である。機能実現部１１１によって実現される機能の一例は、携帯端末１のモードのアクティブモードとスリープモードとの間での切り替えである。この例では、電源キー３４０に対する操作以外の操作（たとえば、下部筐体１０２を所与の圧力以上で握ること）によって、携帯端末１のモードは、アクティブモードとスリープモードとの間で切り替えられるようになる。
【００４６】
ステップＳ２４で、タイマーＩＣ６２は、電源キー３４０を電源ＩＣ１８０から切り離す。より具体的には、タイマーＩＣ６２は、スイッチ６１を開く（図３の状態Ｃ）。そして、制御はステップＳ２６へ進められる。
【００４７】
ステップＳ２６で、ＣＰＵ１１０は、携帯端末１をシャットダウンする。そして、制御はステップＳ２８へ進められる。
【００４８】
ステップＳ２８で、ＣＰＵ１１０は、携帯端末１を再起動する。そして、制御はステップＳ３０へ進められる。
【００４９】
そして、再起動後、ステップＳ３０として、ＣＰＵ１１０は、携帯端末１の機能実現部１１１による機能の実現を、ステップＳ２０およびステップＳ２２における指示に従って実行する。つまり、ＣＰＵ１１０は、たとえば、グリップセンサ１７０等の電源キー３４０以外の操作部に対する指示に基づいて、携帯端末１のモードをアクティブモードとスリープモードとの間で切り替える。これにより、たとえ電源キー３４０が図３の回路をショートさせていても、当該ショートに関係なく、ユーザのグリップセンサ１７０等に対する操作に基づいて、携帯端末１のモードが切り替えられ得る。
【００５０】
［第２の実施の形態］
図６は、第２の実施の形態の携帯端末１において実行される処理のフローチャートである。図５のフローチャートと比較して、図６のフローチャートは、ステップＳ２６およびステップＳ２８が省略されている。
【００５１】
つまり、第２の実施の形態の携帯端末１では、機能実現部１１１に対応する操作部の設定が変更され（ステップＳ２０，ステップＳ２２）、その後、電源キー３４０が電源ＩＣ１８０から切り離されたとき（ステップＳ２４）、ＣＰＵ１１０は、携帯端末１を再起動することなく、機能実現部１１１に機能の実現を指示する操作部を変更する。
【００５２】
なお、第１および第２の実施の形態のいずれにおいても、機能実現部１１１に対応する操作部の設定の変更（ステップＳ２０，ステップＳ２２）は、電源キー３４０を電源ＩＣ１８０から切り離すこと（ステップＳ２４）の後に実行されてよい。
【００５３】
今回開示された実施の形態およびその変形例はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【００５４】
１  携帯端末、６１  スイッチ、６２  タイマーＩＣ、１１１  機能実現部、１１２  代替部、１３０  操作受付部、１７０  グリップセンサ、１８０  電源ＩＣ、１９０  加速度センサ。
【図１】
2016224525.tif 000003
【図２】
2016224525.tif 000004
【図３】
2016224525.tif 000005
【図４】
2016224525.tif 000006
【図５】
2016224525.tif 000007
【図６】
2016224525.tif 000008